(57)【特許請求の範囲】
【請求項１】
少なくとも無線通信機能を備えた端末本体と、この端末本体に対し着脱自在に装着されるカメラユニットとを具備する移動無線端末において、
前記カメラユニットは、外部記憶媒体が着脱自在に装着されるスロットを備え、
前記端末本体は、
前記カメラユニットのスロットに装着された外部記憶媒体の端子に対し直接又は間接的に接続される外部記憶媒体用インタフェース端子と、
この外部記憶媒体用インタフェース端子を介して、前記カメラユニットの装着の有無及び当該カメラユニットに対する外部記憶媒体の装着の有無をそれぞれ判定する装着状態判定手段と
を備えたことを特徴とする移動無線端末。
【請求項２】
外部記憶媒体が着脱自在に装着されるスロットを備えたカメラユニットが接続可能な、無線通信機能を備えた端末本体であって、
前記カメラユニットのスロットに装着された外部記憶媒体の端子に対し直接又は間接的に接続される外部記憶媒体用インタフェース端子と、
この外部記憶媒体用インタフェース端子を介して、前記カメラユニットの接続の有無及び当該カメラユニットに対する外部記憶媒体の装着の有無をそれぞれ判定する状態判定手段と
を具備することを特徴とする移動無線端末の端末本体。
【発明の詳細な説明】
【０００１】
【発明の属する技術分野】
この発明は、例えば携帯電話端末やＰＨＳ（Personal Handyphone System）端末等の移動無線端末に係わり、特にメモリカードなどの外部記憶媒体を装着可能とした移動無線端末と、無線通信機能を備えた端末本体に関する。
【０００２】
【従来の技術】
近年、携帯電話端末やＰＨＳ端末などの移動無線端末が急速に普及している。そして、最近この種の装置の中に、例えばインタネット上の各種情報サイトからダウンロードされる情報や音楽を受信する機能や、テレビジョン電話通信機能等の付加機能を備えた装置が出現している。
【０００３】
この種の装置を用いれば、例えば所望の情報サイトから地図情報や音楽情報を受信して記憶し、必要に応じこれらの情報を選択的に読み出して表示或いは再生することができる。またテレビジョン電話通信機能を用いると、相手端末との間でお互いの顔画像や周囲の風景などを送受信することができ、さらに受信した顔画像を電話番号や名称に付加して記憶しておくことで顔画像付きの電話帳を構成することが可能となり、大変有用である。
【０００４】
【発明が解決しようとする課題】
ところでこの種の装置を実現するには、情報サイトからダウンロードされた情報やテレビジョン電話通信により受信した画像を記憶する大容量のメモリが必要となる。そこで、メモリカードなどの可搬性を有する外部記憶媒体を使用することが提唱されている。しかし、この種の外部記憶媒体は、回路素子の一つとして使用されているＲＡＭ等のメモリに比べると大きいため、移動無線端末に内蔵すると装置の大型化を招く欠点があった。
【０００５】
この発明は上記事情に着目してなされたもので、その目的とするところは、端末本体の大型化を招くことなく外部記憶媒体を使用可能とした移動無線端末と、無線通信機能を備えた端末本体を提供することにある。
【０００６】
【課題を解決するための手段】
上記目的を達成するために請求項１記載の発明では、少なくとも無線通信機能を備えた端末本体と、この端末本体に対し着脱自在に装着されるカメラユニットとを具備する移動無線端末にあって、
上記カメラユニットに、外部記憶媒体が着脱自在に装着されるスロットを設けると共に、上記端末本体には、上記カメラユニットのスロットに装着された外部記憶媒体の端子に対し直接又は間接的に接続される外部記憶媒体用インタフェース端子と、この外部記憶媒体用インタフェース端子を介して上記カメラユニットの装着の有無及び当該カメラユニットに対する外部記憶媒体の装着の有無をそれぞれ判定する装着状態判定手段とを設けたものである。
また、請求項２記載の発明では、外部記憶媒体が着脱自在に装着されるスロットを備えたカメラユニットが接続可能な、無線通信機能を備えた端末本体にあって、  
上記カメラユニットのスロットに装着された外部記憶媒体の端子に対し直接又は間接的に接続される外部記憶媒体用インタフェース端子と、この外部記憶媒体用インタフェース端子を介して、上記カメラユニットの接続の有無及び当該カメラユニットに対する外部記憶媒体の装着の有無をそれぞれ判定する状態判定手段とを具備するようにしたものである。
【００１０】
したがってこの発明によれば、外部記憶媒体は、オプションユニットとして用意されるカメラユニットに装着されるので、端末本体には外部記憶媒体用のスロットを設ける必要がなく、これにより端末本体を小型に維持することができる。
【００１１】
【発明の実施の形態】
（第１の実施形態）
この発明に係わる移動無線端末の第１の実施形態は、外付けユニットとしてバッテリパックが用意されている場合に、このバッテリパックにメモリカード装着用のスロットを設け、かつ端末本体に上記バッテリパック及びメモリカードの装着の有無を判定する手段を設ける。そして、この判定手段によりバッテリパック及びメモリカードが装着されていると判定された場合に、メモリカード・インタフェース回路をアクティブ状態に設定して、メモリカードに対する書き込み及び読み出し動作を可能とするようにしたものである。
【００１２】
図１は、この第１の実施形態に係わる移動無線端末の外観を示すもので、（ａ）はその正面図、（ｂ）は側面図、（ｃ）は背面図をそれぞれ示している。
【００１３】
この移動無線端末は、テレビジョン電話通信機能を有する携帯電話端末であり、その筐体前面パネルには受話器としてのスピーカ３２、液晶表示器（ＬＣＤ）３４、キー入力部３５及び送話器としてのマイクロホン３１が配設されている。また筐体上部には、伸縮可能なアンテナ１１及びカメラ３３が取着されている。このカメラ３３は、ＣＭＯＳ又はＣＣＤ等の固体撮像素子を採用したもので、静止画像又は動画像を撮像可能である。
【００１４】
さらに筐体背面部には、バッテリパック用の装着部が設けられており、この装着部にはバッテリパック５が着脱自在に装着されるようになっている。バッテリパック５には充電可能なバッテリが内蔵されている。
【００１５】
ところで、このバッテリパック５にはメモリカード装着用のスロットが設けてある。そして、このスロットには、その挿入口６２からメモリカード６が着脱自在に挿入され、かつ取り出しボタン６３を押すことで上記メモリカード６が排出されるようになっている。また、バッテリパック５の端末本体との装着面には、図２に示すようにバッテリ端子５２と、メモリカード用端子６１とが設けてある。このメモリカード用端子６１は、メモリカードの記憶情報を入出力するためのインタフェース端子６１ａと、メモリカードの装着の有無を検出するための検出端子６１ｂとから構成される。
【００１６】
一方、このメモリカード用スロット付きのバッテリパック５が装着される移動無線端末の回路は次のように構成される。図３はその構成を示す回路ブロック図である。
この移動無線端末は、無線部１と、ベースバンド部２と、入出力部３と、電源部４と、バッテリパック５とから構成され、このうち無線部１、ベースバンド部２、入出力部３及び電源部４により端末本体を構成している。
【００１７】
図示しない基地局から無線チャネルを介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、上記無線信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式が用いられる。なお、上記周波数シンセサイザ１４から発生される受信局部発振信号周波数は、ベースバンド部２に設けられた主制御部２１から指示される。
【００１８】
上記復調器から出力された復調信号はベースバンド部２に入力される。ベースバンド部２は、主制御部２１と、多重分離部２２と、音声符号復号部（以後音声コーデックと呼称する）２３と、マルチメディア処理部２４と、ＬＣＤ制御部２５と、メモリカード・インタフェース部（メモリカードＩ／Ｆ）２７とを備えている。
【００１９】
上記復調信号は、主制御部２１において制御情報であるかマルチメディア情報であるかが識別され、マルチメディア情報であれば多重分離部２２に供給されてここで音声データと画像データとに分離される。そして、音声データは音声コーデック２３に供給されてここで音声復号され、これにより再生された音声信号は入出力部３のスピーカ３２から拡声出力される。これに対し画像データは、マルチメディア処理部２４に供給されてここで映像復号処理され、これにより再生された映像信号はＬＣＤ制御部２５を介して入出力部３のＬＣＤ３４に供給され表示される。
【００２０】
なお、上記受信画像データは必要に応じて主制御部２１内のＲＡＭに格納される。またＬＣＤ３４には、主制御部２１から出力された自装置の動作状態を表す種々情報、例えば電話帳や受信電界強度検出値、バッテリの残量なども表示される。
【００２１】
一方、入出力部３のマイクロホン３１から出力されたユーザの送話音声信号は、ベースバンド部３の音声コーデック２３に入力され、ここで音声符号化されたのち多重分離部２２に入力される。またカメラ（ＣＡＭ）３３から出力された映像信号は、ベースバンド部２のマルチメディア処理部２４に入力され、ここで映像符号化処理が施されたのち上記多重分離部２２に入力される。多重分離部２２では、上記符号化された音声データと画像データとが所定のフォーマットで多重化され、この多重化された送信データは主制御部２１から無線部１の送信回路（ＴＸ）１５に入力される。
【００２２】
送信回路１５は、変調器、周波数変換器及び送信電力増幅器を備える。上記送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向け送信される。
【００２３】
なお、電源部４には、リチウムイオン電池等のバッテリ４１と、このバッテリ４１を充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖccを生成する。
【００２４】
また入出力部４には、操作時及び通信時にＬＣＤ３４及びキー入力部３５を照明するための照明器３６が設けられている。この照明器３６は、例えばバックライト又はイルミネーションと呼ばれる。
【００２５】
ところで、ベースバンド部２に設けられたメモリカードＩ／Ｆ２７は、メモリカード６に対するインタフェース機能を備えたもので、バッテリパック５及びメモリカード６の装着状態を主制御部２１に通知する装着状態通知回路を内蔵している。
【００２６】
図４は、その回路構成を示すものである。同図において、バッテリパック５に設けられたバッテリ端子５２の出力をもとに生成されたバッテリパック装着検出信号と、メモリカード用の検出端子６１ｂの出力をもとに生成されたメモリカード装着検出信号は、アンドゲート２７ａによりゲート処理されて、メモリカードＩ／Ｆ接続オン・オフ制御信号として主制御部２１に与えられる。また上記アンドゲート２７ａのゲート出力は、バッファ２７ｄを介してメモリカード有表示信号として出力される。さらに、上記バッテリパック装着検出信号と、上記メモリカード装着検出信号をインバータ２７ｃで論理反転した信号は、アンドゲート２７ｂでゲート処理されたのちバッファ２７ｅを介してメモリカード無表示信号として出力される。
【００２７】
一方、上記主制御部２１はマイクロプロセッサ、ＲＯＭ及びＲＡＭを備えたもので、無線チャネルの接続制御や通信リンク確立後の通信制御等、通常の制御機能に加えて、この発明に係わる制御機能として、メモリカード・インタフェース（Ｉ／Ｆ）制御手段２１ａと、メモリカードアクセス制御手段２１ｂとを備えている。
【００２８】
メモリカードＩ／Ｆ制御手段２１ａは、上記図４に示した装着状態通知回路から出力されるメモリカードＩ／Ｆ接続オン・オフ制御信号及び各表示信号に基づいて、バッテリパック５及びメモリカード６の装着状態を判定し、バッテリパック５及びメモリカード６が装着されている場合にメモリカードＩ／Ｆ２７のドライバをアクティブ状態に設定する。
【００２９】
メモリカードアクセス制御手段２１ｂは、上記バッテリパック５に装着されたメモリカード６に対する記憶データの書き込み及び読み出しを制御するもので、例えばカメラ３３により得られた画像データや、通信相手端末から伝送された画像データを保存する際に、メモリカード６をアクセスしてこれらの画像データをメモリカード６に記憶させる。
【００３０】
このような構成であるから、メモリカード６の使用を希望するユーザは、先ずメモリカード用スロット付きのバッテリパック５を端末本体に装着し、このバッテリパック５のスロットに別途購入したメモリカード６を装着する。そうすると、このバッテリパック５及びメモリカード６の装着が、メモリカードＩ／Ｆ２７を介して端末本体の主制御部２１で認識され、これによりメモリカードＩ／Ｆ２７がアクティブ状態に設定される。
【００３１】
そして、この状態でユーザが、例えば受信した画像データを保存するための指示をキー入力部３５において入力すると、以後受信された画像データが主制御部２１からメモリカードＩ／Ｆ２７を介してバッテリパック５内のメモリカード６に転送され、記憶される。
【００３２】
また、この画像データの記憶終了後にユーザが取り出しボタン６３を押すと、メモリカード６はバッテリパック５のスロットから排出される。そして、このメモリカード６を例えばパーソナル・コンピュータのスロットに装着して、画像データをパーソナル・コンピュータに取り込むことで、画像データの編集処理などが可能となる。
【００３３】
以上述べたように第１の実施形態では、バッテリパック５にメモリカード装着用のスロットを設けると共に、端末本体に上記バッテリパック５及びメモリカード６の装着の有無を判定する手段を設け、この判定手段によりバッテリパック５及びメモリカード６が装着されていると判定された場合に、メモリカードＩ／Ｆ２７をアクティブ状態に設定して、メモリカード６に対する書き込み及び読み出し動作を可能とするようにしている。
【００３４】
したがって、外部記憶媒体としてのメモリカード６を、移動無線端末本体ではなくバッテリパック５に設けられたスロットに装着して使用することが可能となり、これにより移動無線端末本体の大型化を阻止することができる。したがって、メモリカード６を用いないユーザにとっては小型軽量の移動無線端末を使用することができ、これにより優れた携帯性を確保できる。
【００３５】
一方、メモリカード６の使用を希望するユーザにとっては、メモリカード用スロットを備えたバッテリパック５を用意するだけで、メモリカード６を簡単に使用することができる。
【００３６】
（第２の実施形態）
この発明に係わる移動無線端末の第２の実施形態は、外付けユニットとしてカメラユニットが用意されている場合に、このカメラユニットにメモリカード装着用のスロットを設け、かつ端末本体に上記カメラユニット及びメモリカードの装着の有無を判定する手段を設ける。そして、この判定手段によりカメラユニット及びメモリカードが装着されていると判定された場合に、メモリカード・インタフェース回路をアクティブ状態に設定して、メモリカードに対する書き込み及び読み出し動作を可能とするようにしたものである。
【００３７】
図５及び図６は、この第２の実施形態に係わる移動無線端末の外観を示すもので、（ａ）はその正面図、（ｂ）は側面図、（ｃ）は背面図、（ｄ）は上面図をそれぞれ示している。なお、同図において前記図１と同一部分には同一符号を付して詳しい説明は省略する。
【００３８】
同図において、７はメモリカード付きのカメラユニットであり、このカメラユニット７には固体撮像素子を使用したカメラ３７が内蔵されている。またこのカメラユニット７には、メモリカード装着用のスロットが設けてある。このスロットには、その挿入口７２からメモリカード６が着脱自在に挿入され、かつ図示しない取り出しボタンを押すことで上記メモリカード６が排出されるようになっている。
【００３９】
一方、端末本体上面部には、上記カメラユニット７を着脱自在に装着するためのコネクタ２８が設けてあり、このコネクタ２８にカメラユニット７のコネクタ７１を装着することで、端末本体に対するカメラユニット７の機械的な固定と、カメラユニット７内のカメラ３７及びメモリカード６と端末本体との間の電気的接続がなされるようになっている。上記コネクタ７１，２８には、カメラ端子と、メモリカード用端子とが設けてある。このメモリカード用端子は、メモリカードの記憶情報を入出力するためのインタフェース端子と、メモリカードの装着の有無を検出するための検出端子とから構成される。
【００４０】
一方、このメモリカード用スロット付きのカメラユニット７が装着される移動無線端末の回路は図６に示すように構成される。なお、同図において前記図３と同一部分には同一符号を付して詳しい説明は省略する。
【００４１】
端末本体のベースバンド部２には、メモリカード・インタフェース部（メモリカードＩ／Ｆ）２９が設けられている。このメモリカードＩ／Ｆ２９は、メモリカード６に対するインタフェース機能を備えたもので、カメラユニット７及びメモリカード６の装着状態を主制御部２１に通知する装着状態通知回路を内蔵している。
【００４２】
図７は、その回路構成を示すものである。同図において、コネクタ７１，２８間の接続により発生されたカメラ装着検出信号及びカメラユニット装着検出信号と、メモリカード用の検出端子の出力をもとに生成されたメモリカード装着検出信号は、アンドゲート２９ａによりゲート処理されて、メモリカードＩ／Ｆ接続オン・オフ制御信号として主制御部２１に与えられる。また上記アンドゲート２９ａのゲート出力は、バッファ２９ｄを介してメモリカード有表示信号として出力される。さらに、上記カメラユニット装着検出信号と、上記メモリカード装着検出信号をインバータ２９ｃで論理反転した信号は、アンドゲート２９ｂでゲート処理されたのち、バッファ２９ｅを介してメモリカード無表示信号として出力される。
【００４３】
一方、上記主制御部２１は、前記図３で述べた回路と同様に、この発明に係わる制御機能としてメモリカード・インタフェース（Ｉ／Ｆ）制御手段２１ａと、メモリカードアクセス制御手段２１ｂとを備えている。
【００４４】
メモリカードＩ／Ｆ制御手段２１ａは、上記図７に示した装着状態通知回路から出力されるメモリカードＩ／Ｆ接続オン・オフ制御信号及び各表示信号に基づいて、カメラユニット７及びメモリカード６の装着状態を判定し、カメラユニット７及びメモリカード６が装着されている場合にメモリカードＩ／Ｆ２９のドライバをアクティブ状態に設定する。
【００４５】
メモリカードアクセス制御手段２１ｂは、上記カメラユニット７に装着されたメモリカード６に対する記憶データの書き込み及び読み出しを制御するもので、例えばカメラ３３により得られた画像データや、通信相手端末から伝送された画像データを保存する際に、メモリカードＩ／Ｆ２９を介してメモリカード６をアクセスして、これらの画像データをメモリカード６に記憶させる。
【００４６】
このような構成であるから、メモリカード６の使用を希望するユーザは、先ず図５に示すメモリカード用スロット付きのカメラユニット７を、図８に示すように端末本体に装着し、このカメラユニット７のスロットに別途購入したメモリカード６を装着する。そうすると、このカメラユニット７及びメモリカード６の装着が、メモリカードＩ／Ｆ２９を介して端末本体の主制御部２１で認識され、これによりメモリカードＩ／Ｆ２９がアクティブ状態に設定される。
【００４７】
そして、この状態でユーザが、例えば受信した画像データを保存するための指示をキー入力部３５において入力すると、以後受信された画像データが主制御部２１からメモリカードＩ／Ｆ２９を介してカメラユニット７内のメモリカード６に転送され、記憶される。
【００４８】
このように第２の実施形態では、カメラユニット７にメモリカード装着用のスロットを設けると共に、端末本体に上記カメラユニット７及びメモリカード６の装着の有無を判定する手段を設け、この判定手段によりカメラユニット７及びメモリカード６が装着されていると判定された場合に、メモリカードＩ／Ｆ２９をアクティブ状態に設定して、メモリカード６に対する書き込み及び読み出し動作を可能とするようにしている。したがって、メモリカード６を、移動無線端末本体ではなく、オプションの外付けユニットであるカメラユニット７に装着して使用することが可能となる。このため、前記第１の実施形態と同様に、移動無線端末本体の大型化を阻止することができ、この結果メモリカード６を使用しないユーザにとっては小型軽量の移動無線端末を使用することができ、これにより優れた携帯性を確保できる。
【００４９】
一方、メモリカード６の使用を希望するユーザにとっては、メモリカード用スロットを備えたカメラユニット７を用意するだけで、メモリカード６を簡単に装着して使用することができる。
【００５０】
（第３の実施形態）
この発明に係わる移動無線端末の第３の実施形態は、外付けユニットとしてバッテリパック及びカメラユニットが用意されている場合に、これらのバッテリパック及びカメラユニットにメモリカード装着用のスロットをそれぞれ設け、かつ端末本体に上記バッテリパック及びカメラユニットと、メモリカードの装着の有無を判定する手段を設ける。そして、この判定手段によりバッテリパック又はカメラユニットと、メモリカードが装着されていると判定された場合に、メモリカード・インタフェース回路をアクティブ状態に設定して、メモリカードに対する書き込み及び読み出し動作を可能とするようにしたものである。
【００５１】
図９は、この第３の実施形態に係わる移動無線端末の外観を示すもので、（ａ）はその正面図、（ｂ）は側面図、（ｃ）は背面図、（ｄ）は上面図をそれぞれ示している。なお、同図において前記図１及び図５と同一部分には同一符号を付して詳しい説明は省略する。
【００５２】
筐体背面部には、バッテリパック用の装着部が設けられており、この装着部にはバッテリパック５が着脱自在に装着されるようになっている。バッテリパック５には充電可能なバッテリが内蔵されている。また、このバッテリパック５にはメモリカード装着用のスロットが設けてある。そして、このスロットには、その挿入口６２からメモリカード６が着脱自在に挿入され、かつ取り出しボタン６３を押すことで上記メモリカード６が排出されるようになっている。
【００５３】
また、バッテリパック５の端末本体との装着面には、図２に示したようにバッテリ端子５２に加えて、メモリカードの記憶情報を入出力するためのインタフェース端子６１ａと、メモリカードの装着の有無を検出するための検出端子６１ｂとからなるメモリカード用端子６１が設けてある。
【００５４】
一方、カメラユニット７には、固体撮像素子を使用したカメラ３７が内蔵されている。またこのカメラユニット７には、メモリカード装着用のスロットが設けてある。このスロットには、その挿入口７２からメモリカード６が着脱自在に挿入され、かつ図示しない取り出しボタンを押すことで上記メモリカード６が排出されるようになっている。
【００５５】
一方、端末本体上面部には、図５（ｄ）に示したように上記カメラユニット７を着脱自在に装着するためのコネクタ２８が設けてあり、このコネクタ２８にカメラユニット７のコネクタ７１を装着することで、端末本体に対するカメラユニット７の機械的な固定と、カメラユニット７内のカメラ３７及びメモリカード６と端末本体との間の電気的接続がなされるようになっている。
【００５６】
上記コネクタ７１，２８には、カメラ端子と、メモリカード用端子とが設けてある。このメモリカード用端子は、メモリカードの記憶情報を入出力するためのインタフェース端子と、メモリカードの装着の有無を検出するための検出端子とから構成される。
【００５７】
また、このメモリカード用スロット付きのバッテリパック５及びカメラユニット７が装着される移動無線端末の回路は図１０に示すように構成される。なお、同図において前記図３及び図６と同一部分には同一符号を付して詳しい説明は省略する。
【００５８】
端末本体のベースバンド部２には、バッテリパック５及びカメラユニット７にそれぞれ対応するメモリカード・インタフェース部（メモリカードＩ／Ｆ）２７，２９が設けられている。これらのメモリカードＩ／Ｆ２７，２９は、メモリカード６に対するインタフェース機能を備える。
【００５９】
一方、上記主制御部２１は、この発明に係わる制御機能としてメモリカード・インタフェース（Ｉ／Ｆ）制御手段２１ｃと、メモリカードアクセス制御手段２１ｄとを備えている。
【００６０】
メモリカードＩ／Ｆ制御手段２１ｃは、先ず上記各メモリカードＩ／Ｆ２７，２９から出力される各種検出信号に基づいて、バッテリパック５とそのスロットに装着されるメモリカード６の装着状態、及びカメラユニット７とそのスロットに装着されるメモリカード６の装着状態をそれぞれ判定する。
【００６１】
図１１はその判定手順を示すフローチャートである。
すなわち、主制御部２１は、先ずステップ１１ａでメモリカード用スロット付きのバッテリパック５が装着されたか否かを監視する。そして、当該バッテリパック５の装着が検出されると、ステップ１１ｂで当該バッテリパック５のスロットにメモリカード６ｂが装着されているか否かを判定する。この判定の結果、メモリカード６ｂが装着されていれば、ステップ１１ｃに移行してここでバッテリパック５のメモリカードＩ／Ｆ接続“オン”と認識する。なお、バッテリパック５が未装着であるか、又はバッテリパック５が装着されていてもメモリカード６ｂが未装着の場合には、ステップ１１ｄにおいてメモリカードＩ／Ｆ接続“オフ”と認識する。
【００６２】
続いて主制御部２１は、ステップ１１ｅでカメラ３７が装着されたか否かを監視する。そして、カメラが装着されると、ステップ１１ｆでこのカメラがメモリカード用スロット付きのカメラユニット７であるか否かを判定する。この判定の結果、メモリカード用スロット付きのカメラユニット７であれば、続いてステップ１１ｇで当該カメラユニット７のスロットにメモリカード６ａが装着されているか否かを判定する。そして、メモリカード６ａが装着されていれば、ステップ１１ｈに移行してここでカメラ部、カメラＩ／Ｆ接続“オン”、メモリカードＩ／Ｆ接続“オン”とそれぞれ認識する。
【００６３】
なお、カメラ３７が接続されていない場合には、ステップ１１ｊでカメラ部及びカメラＩ／Ｆ接続“オフ”、メモリカードＩ／Ｆ接続“オフ”とそれぞれ認識する。また、装着されているカメラがメモリカード用スロットを持たない通常のカメラ３３の場合や、メモリカード用スロット付きのカメラユニット７が装着されていてもメモリカード６ａが未装着の場合には、ステップ１１ｉにおいてカメラ部及びカメラＩ／Ｆ接続“オン”、メモリカードＩ／Ｆ接続“オフ”とそれぞれ認識する。
【００６４】
また、メモリカードＩ／Ｆ制御手段２１ｃは、上記装着状態の判定結果に基づいて、バッテリパック５とそのスロットにメモリカード６が装着されている場合にはメモリカードＩ／Ｆ２７のドライバをアクティブ状態に設定し、一方カメラユニット７とそのスロットにメモリカード６が装着されている場合にメモリカードＩ／Ｆ２９のドライバをアクティブ状態に設定する。
【００６５】
メモリカードアクセス制御手段２１ｄは、上記バッテリパック５に装着されたメモリカード６及びカメラユニット７に装着されたメモリカード６に対する記憶データの書き込み及び読み出しを制御するもので、例えばカメラ３７により得られた画像データや、通信相手端末から伝送された画像データを保存する際に、メモリカード６，６を選択的にアクセスしてこれらの画像データをメモリカード６，６に記憶させる。メモリカードの選択手法としては、例えば先ず一方のメモリカード６を選択してデータの記憶に供し、このメモリカード６が満杯になると他方のメモリカード６を選択してデータの記憶に供すると云った手法が考えられる。また、一方のメモリカード６から他方のメモリカード６への記憶データの転送も行う。
【００６６】
このような構成であるから、メモリカード６の使用を希望するユーザは、メモリカード用スロット付きのカメラユニット７を、図８に示すように端末本体に装着し、このカメラユニット７のスロットに別途購入したメモリカード６を装着する。そうすると、このカメラユニット７及びメモリカード６の装着が、メモリカードＩ／Ｆ２９を介して端末本体の主制御部２１で認識され、これによりメモリカードＩ／Ｆ２９がアクティブ状態に設定される。
【００６７】
そして、この状態でユーザが、例えば受信した画像データを保存するための指示をキー入力部３５において入力すると、以後受信された画像データが主制御部２１からメモリカードＩ／Ｆ２９を介してカメラユニット７内のメモリカード６に転送され、記憶される。
【００６８】
また、上記カメラユニット７のメモリカード６だけでは、記憶容量が不足する場合には、メモリカード用スロット付きのバッテリパック５を端末本体に装着し、このバッテリパック５のスロットに別途購入したメモリカード６を装着する。そうすると、このバッテリパック５及びメモリカード６の装着が、メモリカードＩ／Ｆ２７を介して端末本体の主制御部２１で認識され、これによりメモリカードＩ／Ｆ２７がアクティブ状態に設定される。
【００６９】
そして、この状態でユーザが、例えば受信した画像データを保存するための指示をキー入力部３５において入力すると、上記カメラユニット７のメモリカード６が満杯になるまでは当該メモリカード６を選択してこれに画像データを記憶する。そして、このメモリカード６が満杯になると、バッテリパック５のメモリカード６が選択され、以後受信された画像データは主制御部２１からメモリカードＩ／Ｆ２７を介してバッテリパック５内のメモリカード６に転送され、記憶される。
【００７０】
したがって第３の実施形態であれば、メモリカード６を、移動無線端末本体ではなくバッテリパック５又はカメラユニット７のスロットに装着して使用することが可能となり、これにより移動無線端末本体の大型化を阻止することができる。したがって、メモリカード６を用いないユーザにとっては小型軽量の移動無線端末を使用することができ、これにより優れた携帯性を確保できる。
【００７１】
一方、メモリカード６の使用を希望するユーザにとっては、メモリカード用スロットを備えたバッテリパック５又はカメラユニット７を用意するだけで、メモリカード６を簡単に装着して使用することができ、しかもバッテリパック５及びカメラユニット７の両方にメモリカードを装着することで、きわめて大容量のデータを記憶させることができる。
【００７２】
（第４の実施形態）
この発明に係わる移動無線端末の第４の実施形態は、外付けユニットとして端末本体を携行するためのストラップが取り付けられる場合に、このストラップの一部にメモリカード用のスロットを設け、かつ端末本体に上記ストラップ及びそのスロットへのメモリカードの装着の有無を判定する手段を設ける。そして、この判定手段によりストラップ及びメモリカードが装着されていると判定された場合に、メモリカード・インタフェース回路をアクティブ状態に設定して、メモリカードに対する書き込み及び読み出し動作を可能とするようにしたものである。
【００７３】
図１２は、この第４の実施形態に係わる移動無線端末の外観を示すものである。なお、同図において前記図１と同一部分には同一符号を付して詳しい説明は省略する。
【００７４】
筐体上面部には、メモリカード用スロット付きのストラップ８が取着される。このストラップ８は、第１の紐８１と、ループ状をなす第２の紐８２と、これら第１及び第２の各紐８１，８２を接続する結束帯８３とを備え、上記第１の紐８１の基端部が端末本体の筐体に金具等を用いて着脱可能に取着される。
【００７５】
また上記結束帯８３には、上記各紐８１，８２と共にメモリカード用の接続ケーブル８４が結束されている。この接続ケーブル８４の先端側８４ｂにはメモリカード用のスロット８７が接続され、このスロット８７にはメモリカード６が着脱自在に装着されるようになっている。また上記接続ケーブル８４の基端側８４ａにはコネクタ８６が接続され、このコネクタ８６は端末本体に設けられたコネクタに接続される。
【００７６】
さらに、上記第１の紐８１の長さＸと、上記接続ケーブル８４の基端側８４ａの長さＹは、Ｘ＜Ｙとなるように設定してあり、これによりストラップ８を端末本体に取着した状態で接続ケーブル８４ａ及びコネクタ８６に機械的な負荷が加わらないようにしている。
【００７７】
一方、このメモリカード用スロット付きのストラップ８が接続される移動無線端末の回路は図１３に示すように構成される。なお、同図において前記図４と同一部分には同一符号を付して詳しい説明は省略する。
【００７８】
端末本体のベースバンド部２には、メモリカード・インタフェース部（メモリカードＩ／Ｆ）３０が設けられている。このメモリカードＩ／Ｆ３０は、メモリカード６に対するインタフェース機能を備えたもので、ストラップ８の接続ケーブル８４及びメモリカード６の装着状態を主制御部２１に通知する装着状態通知回路を内蔵している。
【００７９】
主制御部２１は、前記図４で述べた回路と同様に、この発明に係わる制御機能としてメモリカード・インタフェース（Ｉ／Ｆ）制御手段２１ａと、メモリカードアクセス制御手段２１ｂとを備えている。
【００８０】
メモリカードＩ／Ｆ制御手段２１ａは、メモリカードＩ／Ｆ３０に設けられた装着状態通知回路から出力されるメモリカードＩ／Ｆ接続オン・オフ制御信号及び各表示信号に基づいて、ストラップ８の接続ケーブル８４及びメモリカード６の装着状態を判定し、ストラップ８の接続ケーブル８４及びメモリカード６が装着されている場合にメモリカードＩ／Ｆ３０のドライバをアクティブ状態に設定する。
【００８１】
メモリカードアクセス制御手段２１ｂは、上記ストラップ８の接続ケーブル８４に装着されたメモリカード６に対する記憶データの書き込み及び読み出しを制御するもので、例えばカメラ３３により得られた画像データや、通信相手端末から伝送された画像データを保存する際に、メモリカードＩ／Ｆ３０を介してメモリカード６をアクセスし、これによりこれらの画像データをメモリカード６に記憶させる。
【００８２】
このような構成であるから、メモリカード６の使用を希望するユーザは、先ずメモリカード用スロット８７を備えたストラップ８を端末本体の筐体に取着する。そして、接続ケーブル８４のコネクタ８６を端末本体側のコネクタに装着すると共に、スロット８７にメモリカード６を装着する。すなわち、図１２に示す状態にする。そうすると、この接続ケーブル８４及びメモリカード６の装着が、メモリカードＩ／Ｆ３０を介して端末本体の主制御部２１で認識され、これによりメモリカードＩ／Ｆ３０がアクティブ状態に設定される。
【００８３】
そして、この状態でユーザが、例えば受信した画像データを保存するための指示をキー入力部３５で入力すると、以後受信された画像データが主制御部２１からメモリカードＩ／Ｆ３０を介してストラップ８に取着されたメモリカード６に転送され、記憶される。
【００８４】
したがって第４の実施形態によれば、ストラップ８の紐８１，８２にメモリカード装着用のスロットを有する接続ケーブル８４を結束すると共に、端末本体に上記接続ケーブル８４及びメモリカード６の装着の有無を判定する手段を設け、この判定手段により接続ケーブル８４及びメモリカード６が装着されていると判定された場合に、メモリカードＩ／Ｆ３０をアクティブ状態に設定して、メモリカード６に対する書き込み及び読み出し動作を可能とするようにしたことによって、メモリカード６を、移動無線端末本体ではなく、ストラップ８に結束した接続ケーブル８４のスロットに装着して使用することが可能となる。このため、前記各実施形態と同様に、移動無線端末本体の大型化を阻止することができ、この結果メモリカード６を使用しないユーザにとっては小型軽量の移動無線端末を使用することができ、これにより優れた携帯性を確保できる。
【００８５】
一方、メモリカード６の使用を希望するユーザにとっては、メモリカード用スロットを備えたストラップ８を用意するだけで、メモリカード６を簡単に装着して使用することができる。
【００８６】
また本実施形態では、ストラップ８の第１の紐８１の長さＸと、接続ケーブル８４の基端側８４ａの長さＹとの関係を、Ｘ＜Ｙとなるように設定している。このため、ストラップ８を端末本体に取着した状態で、接続ケーブル８４ａ及びコネクタ８６に機械的な負荷が加わらないようにすることができ、これにより接続ケーブル８４の断線やコネクタの脱落等の発生を防止して、信頼性を高く保持することができる。
【００８７】
（その他の実施形態）
なお、この発明は上記各実施形態に限定されるものではない。例えば、第１及び第３の実施形態では、移動無線端末本体に内蔵されている電源部４に対し付加して使用する増設型のバッテリパック５を例に説明したが、電源部４がユニット化されていて端末本体に対し着脱自在に構成されている場合には、この電源ユニットにメモリカード用のスロット設けてもよい。
【００８８】
また、第４の実施形態ではメモリカードをむき出しの状態で使用する場合を例示したが、ストラップの紐にマスコット人形や小型の縫いぐるみ等のアクセサリを取着している場合には、これらのアクセサリ内にスロットを設け、このスロットにメモリカードを装着するように構成してもよい。この様にすると、メモリカードはアクセサリ内に収容されることになるので、使用中の損傷等から効果的に保護することができる。
【００８９】
また、前記各実施形態で説明した外部記憶媒体としてのメモリカード６は、インターネットからダウンロードした画像データや、カメラで撮像した画像データ等の大容量データを記憶するために使用することが想定されるため、例えば６４Ｍバイト以上の記憶容量を有する大容量の記憶媒体であることが望ましいが、記憶するデータ量は区々であるため、この発明は必ずしもこれに限定されるものではない。
【００９０】
また、メモリカード６は、上記したように画像データの記憶用として用いることを想定すると、著作権保護の観点からしてコピープロテクト可能な記憶媒体であることが望ましいが、この点についてもこの発明は限定されない。
【００９１】
さらに、前記各実施形態においては、移動無線端末やＰＨＳ端末等に代表される移動無線端末を例に挙げて説明したが、各実施形態で説明した移動無線端末としての性能を具備するＰＤＡ（Personal Data Assistants）や電子手帳等に代表される携帯情報端末にも適用することは可能である。
【００９２】
その他、バッテリパックやカメラユニットにおけるスロットの設置位置や、外部記憶媒体の形状や構造（カード状以外にスティック状や球状、棒状でもよい）、外部記憶媒体用スロットを設ける外付けユニットの種類やその構造、移動無線端末の種類やその形状及び構成等についても、この発明の要旨を逸脱しない範囲で種々変形して実施できる。
【００９３】
【発明の効果】
以上詳述したように請求項１記載の発明では、少なくとも無線通信機能を備えた端末本体と、この端末本体に対し着脱自在に装着されるカメラユニットとを具備する移動無線端末にあって、上記カメラユニットに、外部記憶媒体が着脱自在に装着されるスロットを設けると共に、上記端末本体には、上記カメラユニットのスロットに装着された外部記憶媒体の端子に対し直接又は間接的に接続される外部記憶媒体用インタフェース端子と、この外部記憶媒体用インタフェース端子を介して上記カメラユニットの装着の有無及び当該カメラユニットに対する外部記憶媒体の装着の有無をそれぞれ判定する装着状態判定手段とを設けたものである。
また、請求項２記載の発明では、外部記憶媒体が着脱自在に装着されるスロットを備えたカメラユニットが接続可能な、無線通信機能を備えた端末本体にあって、上記カメラユニットのスロットに装着された外部記憶媒体の端子に対し直接又は間接的に接続される外部記憶媒体用インタフェース端子と、この外部記憶媒体用インタフェース端子を介して、上記カメラユニットの接続の有無及び当該カメラユニットに対する外部記憶媒体の装着の有無をそれぞれ判定する状態判定手段とを具備するようにしたものである。
したがってこの発明によれば、端末本体の大型化を招くことなく外部記憶媒体を使用可能とした移動無線端末と、無線通信機能を備えた端末本体を提供することができる。
【図面の簡単な説明】
【図１】  この発明に係わる移動無線端末の第１の実施形態である移動無線端末の外観を示すもので、（ａ）はその正面図、（ｂ）は側面図、（ｃ）は背面図。
【図２】  図１に示す移動無線端末に装着されるメモリカード用スロット付きバッテリパックの構成を示す図。
【図３】  メモリカード用スロット付きのバッテリパックが装着される移動無線端末の回路ブロック図。
【図４】  装着状態通知回路の構成を示す回路図。
【図５】  この発明に係わる移動無線端末の第２の実施形態である移動無線端末の外観を示すもので、（ａ）はその正面図、（ｂ）は側面図、（ｃ）は背面図、（ｄ）は上面図。
【図６】  メモリカード用スロット付きのカメラユニットが装着される移動無線端末の回路ブロック図。
【図７】  メモリカードＩ／Ｆに設けられる装着状態通知回路の構成を示す回路図。
【図８】  図５に示す移動無線端末にカメラユニットを装着した状態を示す図。
【図９】  この発明に係わる移動無線端末の第３の実施形態である移動無線端末の外観を示すもので、（ａ）はその正面図、（ｂ）は側面図、（ｃ）は背面図、（ｄ）は上面図。
【図１０】  メモリカード用スロット付きのバッテリパック及びカメラユニットが装着される移動無線端末の回路ブロック図。
【図１１】  図１０に示した端末による装着状態判定手順及びその内容を示すフローチャート。
【図１２】  この発明に係わる移動無線端末の第４の実施形態である移動無線端末の外観を示す正面図。
【図１３】  メモリカード用スロット付きのストラップが取着される移動無線端末の回路ブロック図。
【符号の説明】
１…無線部
２…ベースバンド部
３…入出力部
４…電源部
５…バッテリパック
６…メモリカード
７…カメラユニット
８…ストラップ
１１…アンテナ
１２…アンテナ共用器（ＤＰＸ）
１３…受信回路（ＲＸ）
１４…周波数シンセサイザ（ＳＹＮ）
１５…送信回路（ＴＸ）
２１…主制御部
２１ａ，２１ｃ…メモリカードＩ／Ｆ制御手段
２１ｂ，２１ｄ…メモリカードアクセス制御手段
２２…多重分離部
２３…音声コーデック
２４…マルチメディア処理部
２５…ＬＣＤ制御部
２６，２８…メモリカード用接続端子
２７，２９，３０…メモリカード・インタフェース部（メモリカードＩ／Ｆ）
３１…マイクロホン
３２…スピーカ
３３，３７…カメラ
３４…液晶表示器（ＬＣＤ）
３５…キー入力部
３６…照明器
４１，５１…バッテリ
４２…充電回路（ＣＨＧ）
４３…電圧生成回路（ＰＳ）
６１…メモリカード用端子
６１ａ…メモリカード用のインタフェース端子
６１ｂ…検出端子
６２，７２…挿入口
６３…取り出しボタン
７１，８６…コネクタ
８１…第１の紐
８２…第２の紐
８３…結束帯
８４，８４ａ，８４ｂ…接続ケーブル
８７…スロット
【図１】
0004212207.tif 000002
【図２】
0004212207.tif 000003
【図３】
0004212207.tif 000004
【図４】
0004212207.tif 000005
【図５】
0004212207.tif 000006
【図６】
0004212207.tif 000007
【図７】
0004212207.tif 000008
【図８】
0004212207.tif 000009
【図９】
0004212207.tif 000010
【図１０】
0004212207.tif 000011
【図１１】
0004212207.tif 000012
【図１２】
0004212207.tif 000013
【図１３】
0004212207.tif 000014